(57)【要約】【課題】希望信号と同一方向に存在する干渉信号を除去する。【解決手段】本発明の基地局は、偏波特性が直交する第１及び第２アンテナ素子と第３及び第４アンテナ素子で受信された受信信号を、ＢＢ信号に変換する第１〜第４変換部と、第１及び第２変換部で変換されたＢＢ信号を第１及び第２重み係数により重み付けして加算する第１合成部と、第３及び第４変換部で変換されたＢＢ信号を第１及び第２重み係数により重み付けして加算する第２合成部と、第１及び第２合成部で加算されたＢＢ信号を第３及び第４重み係数により重み付けして加算する第３合成部と、各アンテナの受信信号の合成偏波が希望信号と同一方向に存在する干渉信号の偏波と直交するような第１及び第２重み係数をＭＭＳＥで計算する第１処理部と、希望信号とは異なる方向でかつ干渉信号が存在する方向にヌルが形成されるような第３及び第４重み係数をＭＭＳＥで計算する第２処理部とを有する。【選択図】図２
2010068305.tif 000002
【特許請求の範囲】
【請求項１】
移動端末と、前記移動端末と無線通信を行う基地局と、を有してなる移動通信システムであって、
前記基地局は、
第１の偏波特性を有する第１のアンテナ素子および前記第１の偏波特性と直交する第２の偏波特性を有する第２のアンテナ素子からなる第１のアンテナと、
前記第１の偏波特性を有する第３のアンテナ素子および前記第２の偏波特性を有する第４のアンテナ素子からなる第２のアンテナと、
前記第１〜第４のアンテナ素子で受信された受信信号を、それぞれベースバンド信号に変換する第１〜第４のベースバンド信号変換部と、
前記第１および第２のベースバンド信号変換部で変換されたベースバンド信号に対し、それぞれ第１および第２の重み係数を乗算することで重み付けを行い、該重み付けされたベースバンド信号どうしを加算する第１のアンテナ合成部と、
前記第３および第４のベースバンド信号変換部で変換されたベースバンド信号に対し、それぞれ前記第１および第２の重み係数を乗算することで重み付けを行い、該重み付けされたベースバンド信号どうしを加算する第２のアンテナ合成部と、
前記第１および第２のアンテナ合成部で加算されたベースバンド信号に対し、それぞれ第３および第４の重み係数を乗算することで重み付けを行い、該重み付けされたベースバンド信号どうしを加算して出力する第３のアンテナ合成部と、
前記第１および第２の重み係数として、前記第１および第２のアンテナにおいて各アンテナ素子でそれぞれ受信される受信信号の合成偏波が希望信号と同一方向に存在する干渉信号の偏波と直交するような第１および第２の重み係数を、ＭＭＳＥ（Minimum Mean Square Error：最小平均自乗誤差）により計算する第１の信号処理部と、
前記第３および第４の重み係数として、前記第１および第２のアンテナの指向性パターンにおいて前記希望信号とは異なる方向でかつ干渉信号が存在する方向にヌルが形成されるような第３および第４の重み係数を、ＭＭＳＥにより計算する第２の信号処理部と、を有する移動通信システム。
【請求項２】
前記第１の信号処理部は、前記第１および第２のアンテナにおいて各アンテナ素子でそれぞれ受信される受信信号の合成偏波が前記希望信号と同一方向に存在する干渉信号の偏波と直交し、かつ、前記第１および第２の加算器から出力される信号のＳＩＮＲ（Signal to Interference and Noise power Ratio：信号対干渉および雑音比）が最大となるような第１および第２の重み係数を、ＭＭＳＥにより計算する、請求項１に記載の移動通信システム。
【請求項３】
移動端末と、前記移動端末と無線通信を行う基地局と、を有してなる移動通信システムであって、
前記基地局は、
第１の偏波特性を有する第１のアンテナ素子および前記第１の偏波特性と直交する第２の偏波特性を有する第２のアンテナ素子からなる第１のアンテナと、
前記第１の偏波特性を有する第３のアンテナ素子および前記第２の偏波特性を有する第４のアンテナ素子からなる第２のアンテナと、
前記第１〜第４のアンテナ素子で受信された受信信号を、それぞれベースバンド信号に変換する第１〜第４のベースバンド信号変換部と、
前記第１および第３のベースバンド信号変換部で変換されたベースバンド信号に対し、それぞれ第１および第２の重み係数を乗算することで重み付けを行い、該重み付けされたベースバンド信号どうしを加算する第１のアンテナ合成部と、
前記第２および第４のベースバンド信号変換部で変換されたベースバンド信号に対し、それぞれ前記第１および第２の重み係数を乗算することで重み付けを行い、該重み付けされたベースバンド信号どうしを加算する第２のアンテナ合成部と、
前記第１および第２のアンテナ合成部で加算されたベースバンド信号に対し、それぞれ第３および第４の重み係数を乗算することで重み付けを行い、該重み付けされたベースバンド信号どうしを加算して出力する第３のアンテナ合成部と、
前記第１および第２の重み係数として、前記第１および第２のアンテナの指向性パターンにおいて希望信号とは異なる方向でかつ干渉信号が存在する方向にヌルが形成されるような第１および第２の重み係数を、ＭＭＳＥにより計算する第１の信号処理部と、
前記第３および第４の重み係数として、前記第１および第２のアンテナにおいて各アンテナ素子でそれぞれ受信される受信信号の合成偏波が前記希望信号と同一方向に存在する干渉信号の偏波と直交するような第３および第４の重み係数を、ＭＭＳＥにより計算する第２の信号処理部と、を有する移動通信システム。
【請求項４】
前記２の信号処理部は、前記第１および第２のアンテナにおいて各アンテナ素子でそれぞれ受信される受信信号の合成偏波が前記希望信号と同一方向に存在する干渉信号の偏波と直交し、かつ、前記第３の加算器から出力される信号のＳＩＮＲが最大となるような第３および第４の重み係数を、ＭＭＳＥにより計算する、請求項３に記載の移動通信システム。
【請求項５】
前記第１〜第４のアンテナ素子、前記第１〜第３のアンテナ合成部、および、前記第１および第２の信号処理部は、前記移動端末ごとに設けられている、請求項１から４のいずれか１項に記載の移動通信システム。
【請求項６】
前記第１〜第４のアンテナ素子、前記第１〜第３のアンテナ合成部、および、前記第１および第２の信号処理部は、前記移動端末のアンテナの偏波とは無関係に動作を行う、請求項５に記載の移動通信システム。
【請求項７】
移動端末と無線通信を行う基地局であって、
第１の偏波特性を有する第１のアンテナ素子および前記第１の偏波特性と直交する第２の偏波特性を有する第２のアンテナ素子からなる第１のアンテナと、
前記第１の偏波特性を有する第３のアンテナ素子および前記第２の偏波特性を有する第４のアンテナ素子からなる第２のアンテナと、
前記第１〜第４のアンテナ素子で受信された受信信号を、それぞれベースバンド信号に変換する第１〜第４のベースバンド信号変換部と、
前記第１および第２のベースバンド信号変換部で変換されたベースバンド信号に対し、それぞれ第１および第２の重み係数を乗算することで重み付けを行い、該重み付けされたベースバンド信号どうしを加算する第１のアンテナ合成部と、
前記第３および第４のベースバンド信号変換部で変換されたベースバンド信号に対し、それぞれ前記第１および第２の重み係数を乗算することで重み付けを行い、該重み付けされたベースバンド信号どうしを加算する第２のアンテナ合成部と、
前記第１および第２のアンテナ合成部で加算されたベースバンド信号に対し、それぞれ第３および第４の重み係数を乗算することで重み付けを行い、該重み付けされたベースバンド信号どうしを加算して出力する第３のアンテナ合成部と、
前記第１および第２の重み係数として、前記第１および第２のアンテナにおいて各アンテナ素子でそれぞれ受信される受信信号の合成偏波が希望信号と同一方向に存在する干渉信号の偏波と直交するような第１および第２の重み係数を、ＭＭＳＥにより計算する第１の信号処理部と、
前記第３および第４の重み係数として、前記第１および第２のアンテナの指向性パターンにおいて前記希望信号とは異なる方向でかつ干渉信号が存在する方向にヌルが形成されるような第３および第４の重み係数を、ＭＭＳＥにより計算する第２の信号処理部と、を有する基地局。
【請求項８】
前記第１の信号処理部は、前記第１および第２のアンテナにおいて各アンテナ素子でそれぞれ受信される受信信号の合成偏波が前記希望信号と同一方向に存在する干渉信号の偏波と直交し、かつ、前記第１および第２の加算器から出力される信号のＳＩＮＲが最大となるような第１および第２の重み係数を、ＭＭＳＥにより計算する、請求項７に記載の基地局。
【請求項９】
移動端末と無線通信を行う基地局であって、
第１の偏波特性を有する第１のアンテナ素子および前記第１の偏波特性と直交する第２の偏波特性を有する第２のアンテナ素子からなる第１のアンテナと、
前記第１の偏波特性を有する第３のアンテナ素子および前記第２の偏波特性を有する第４のアンテナ素子からなる第２のアンテナと、
前記第１〜第４のアンテナ素子で受信された受信信号を、それぞれベースバンド信号に変換する第１〜第４のベースバンド信号変換部と、
前記第１および第３のベースバンド信号変換部で変換されたベースバンド信号に対し、それぞれ第１および第２の重み係数を乗算することで重み付けを行い、該重み付けされたベースバンド信号どうしを加算する第１のアンテナ合成部と、
前記第２および第４のベースバンド信号変換部で変換されたベースバンド信号に対し、それぞれ前記第１および第２の重み係数を乗算することで重み付けを行い、該重み付けされたベースバンド信号どうしを加算する第２のアンテナ合成部と、
前記第１および第２のアンテナ合成部で加算されたベースバンド信号に対し、それぞれ第３および第４の重み係数を乗算することで重み付けを行い、該重み付けされたベースバンド信号どうしを加算して出力する第３のアンテナ合成部と、
前記第１および第２の重み係数として、前記第１および第２のアンテナの指向性パターンにおいて希望信号とは異なる方向でかつ干渉信号が存在する方向にヌルが形成されるような第１および第２の重み係数を、ＭＭＳＥにより計算する第１の信号処理部と、
前記第３および第４の重み係数として、前記第１および第２のアンテナにおいて各アンテナ素子でそれぞれ受信される受信信号の合成偏波が前記希望信号と同一方向に存在する干渉信号の偏波と直交するような第３および第４の重み係数を、ＭＭＳＥにより計算する第２の信号処理部と、を有する基地局。
【請求項１０】
前記２の信号処理部は、前記第１および第２のアンテナにおいて各アンテナ素子でそれぞれ受信される受信信号の合成偏波が前記希望信号と同一方向に存在する干渉信号の偏波と直交し、かつ、前記第３の加算器から出力される信号のＳＩＮＲが最大となるような第３および第４の重み係数を、ＭＭＳＥにより計算する、請求項９に記載の基地局。
【請求項１１】
前記第１〜第４のアンテナ素子、前記第１〜第３のアンテナ合成部、および、前記第１および第２の信号処理部は、前記移動端末ごとに設けられている、請求項７から１０のいずれか１項に記載の基地局。
【請求項１２】
前記第１〜第４のアンテナ素子、前記第１〜第３のアンテナ合成部、および、前記第１および第２の信号処理部は、前記移動端末のアンテナの偏波とは無関係に動作を行う、請求項１１に記載の基地局。
【請求項１３】
移動端末と無線通信を行う基地局による干渉除去方法であって、
第１のアンテナの第１の偏波特性を有する第１のアンテナ素子および前記第１の偏波特性と直交する第２の偏波特性を有する第２のアンテナ素子で受信された受信信号を、それぞれベースバンド信号に変換する第１および第２の変換ステップと、
第２のアンテナの前記第１の偏波特性を有する第３のアンテナ素子および前記第２の偏波特性を有する第４のアンテナ素子で受信された受信信号を、それぞれベースバンド信号に変換する第３および第４の変換ステップと、
前記第１および第２の変換ステップで変換されたベースバンド信号に対し、それぞれ第１および第２の重み係数を乗算することで重み付けを行い、該重み付けされたベースバンド信号どうしを加算する第１のアンテナ合成ステップと、
前記第３および第４の変換ステップで変換されたベースバンド信号に対し、それぞれ前記第１および第２の重み係数を乗算することで重み付けを行い、該重み付けされたベースバンド信号どうしを加算する第２のアンテナ合成ステップと、
前記第１および第２のアンテナ合成ステップで加算されたベースバンド信号に対し、それぞれ第３および第４の重み係数を乗算することで重み付けを行い、該重み付けされたベースバンド信号どうしを加算して出力する第３のアンテナ合成ステップと、
前記第１および第２の重み係数として、前記第１および第２のアンテナにおいて各アンテナ素子でそれぞれ受信される受信信号の合成偏波が希望信号と同一方向に存在する干渉信号の偏波と直交するような第１および第２の重み係数を、ＭＭＳＥにより計算する第１の計算ステップと、
前記第３および第４の重み係数として、前記第１および第２のアンテナの指向性パターンにおいて前記希望信号とは異なる方向でかつ干渉信号が存在する方向にヌルが形成されるような第３および第４の重み係数を、ＭＭＳＥにより計算する第２の計算ステップと、を有する干渉除去方法。
【請求項１４】
前記第１の計算ステップでは、前記第１および第２のアンテナにおいて各アンテナ素子でそれぞれ受信される受信信号の合成偏波が前記希望信号と同一方向に存在する干渉信号の偏波と直交し、かつ、前記第１および第２の加算器から出力される信号のＳＩＮＲが最大となるような第１および第２の重み係数を、ＭＭＳＥにより計算する、請求項１３に記載の干渉除去方法。
【請求項１５】
移動端末と無線通信を行う基地局による干渉除去方法であって、
第１のアンテナの第１の偏波特性を有する第１のアンテナ素子および前記第１の偏波特性と直交する第２の偏波特性を有する第２のアンテナ素子で受信された受信信号を、それぞれベースバンド信号に変換する第１および第２の変換ステップと、
第２のアンテナの前記第１の偏波特性を有する第３のアンテナ素子および前記第２の偏波特性を有する第４のアンテナ素子で受信された受信信号を、それぞれベースバンド信号に変換する第３および第４の変換ステップと、
前記第１および第３の変換ステップで変換されたベースバンド信号に対し、それぞれ第１および第２の重み係数を乗算することで重み付けを行い、該重み付けされたベースバンド信号どうしを加算する第１のアンテナ合成ステップと、
前記第２および第４の変換ステップで変換されたベースバンド信号に対し、それぞれ前記第１および第２の重み係数を乗算することで重み付けを行い、該重み付けされたベースバンド信号どうしを加算する第２のアンテナ合成ステップと、
前記第１および第２のアンテナ合成ステップで加算されたベースバンド信号に対し、それぞれ第３および第４の重み係数を乗算することで重み付けを行い、該重み付けされたベースバンド信号どうしを加算して出力する第３のアンテナ合成ステップと、
前記第１および第２の重み係数として、前記第１および第２のアンテナの指向性パターンにおいて希望信号とは異なる方向でかつ干渉信号が存在する方向にヌルが形成されるような第１および第２の重み係数を、ＭＭＳＥにより計算する第１の計算ステップと、
前記第３および第４の重み係数として、前記第１および第２のアンテナにおいて各アンテナ素子でそれぞれ受信される受信信号の合成偏波が前記希望信号と同一方向に存在する干渉信号の偏波と直交するような第３および第４の重み係数を、ＭＭＳＥにより計算する第２の計算ステップと、を有する干渉除去方法。
【請求項１６】
前記２の計算ステップでは、前記第１および第２のアンテナにおいて各アンテナ素子でそれぞれ受信される受信信号の合成偏波が前記希望信号と同一方向に存在する干渉信号の偏波と直交し、かつ、前記第３の加算器から出力される信号のＳＩＮＲが最大となるような第３および第４の重み係数を、ＭＭＳＥにより計算する、請求項１５に記載の干渉除去方法。
【発明の詳細な説明】
【技術分野】
【０００１】
本発明は、移動通信システム、基地局、干渉除去方法に関する。
【背景技術】
【０００２】
移動通信システムにおいては、複数の移動端末が、同一周波数を用いて、基地局と無線通信を行うことが可能である。
【０００３】
基地局は、ある移動端末と無線通信を行う場合、その移動端末から受信される受信信号（希望信号）が、他の移動端末から受信される受信信号（干渉信号）からの干渉を受けると、受信品質が劣化してしまう。
【０００４】
このような干渉信号を除去する干渉除去技術の一例として、アンテナを複数のアンテナ素子で構成し、各アンテナ素子の受信信号をアンテナ合成して、アンテナの指向性を制御する技術がある（特許文献１参照）。これによれば、干渉信号の方向にヌルが形成されるようにアンテナの指向性を制御することで、干渉信号を除去することができる。
【特許文献１】特開平６−２０４９０２号公報
【発明の開示】
【発明が解決しようとする課題】
【０００５】
しかし、上述した干渉除去技術においては、干渉信号が希望信号と同一方向に存在する場合には、干渉信号の方向にヌルを形成することができないため、干渉信号を除去することができないという課題がある。
【０００６】
そこで、本発明の目的は、上述した課題を解決する移動通信システム、基地局、干渉除去方法を提供することにある。
【課題を解決するための手段】
【０００７】
本発明の第１の移動通信システムは、
移動端末と、前記移動端末と無線通信を行う基地局と、を有してなる移動通信システムであって、
前記基地局は、
第１の偏波特性を有する第１のアンテナ素子および前記第１の偏波特性と直交する第２の偏波特性を有する第２のアンテナ素子からなる第１のアンテナと、
前記第１の偏波特性を有する第３のアンテナ素子および前記第２の偏波特性を有する第４のアンテナ素子からなる第２のアンテナと、
前記第１〜第４のアンテナ素子で受信された受信信号を、それぞれベースバンド信号に変換する第１〜第４のベースバンド信号変換部と、
前記第１および第２のベースバンド信号変換部で変換されたベースバンド信号に対し、それぞれ第１および第２の重み係数を乗算することで重み付けを行い、該重み付けされたベースバンド信号どうしを加算する第１のアンテナ合成部と、
前記第３および第４のベースバンド信号変換部で変換されたベースバンド信号に対し、それぞれ前記第１および第２の重み係数を乗算することで重み付けを行い、該重み付けされたベースバンド信号どうしを加算する第２のアンテナ合成部と、
前記第１および第２のアンテナ合成部で加算されたベースバンド信号に対し、それぞれ第３および第４の重み係数を乗算することで重み付けを行い、該重み付けされたベースバンド信号どうしを加算して出力する第３のアンテナ合成部と、
前記第１および第２の重み係数として、前記第１および第２のアンテナにおいて各アンテナ素子でそれぞれ受信される受信信号の合成偏波が希望信号と同一方向に存在する干渉信号の偏波と直交するような第１および第２の重み係数を、ＭＭＳＥ（Minimum Mean Square Error：最小平均自乗誤差）により計算する第１の信号処理部と、
前記第３および第４の重み係数として、前記第１および第２のアンテナの指向性パターンにおいて前記希望信号とは異なる方向でかつ干渉信号が存在する方向にヌルが形成されるような第３および第４の重み係数を、ＭＭＳＥにより計算する第２の信号処理部と、を有する。
【０００８】
本発明の第２の移動通信システムは、
移動端末と、前記移動端末と無線通信を行う基地局と、を有してなる移動通信システムであって、
前記基地局は、
第１の偏波特性を有する第１のアンテナ素子および前記第１の偏波特性と直交する第２の偏波特性を有する第２のアンテナ素子からなる第１のアンテナと、
前記第１の偏波特性を有する第３のアンテナ素子および前記第２の偏波特性を有する第４のアンテナ素子からなる第２のアンテナと、
前記第１〜第４のアンテナ素子で受信された受信信号を、それぞれベースバンド信号に変換する第１〜第４のベースバンド信号変換部と、
前記第１および第３のベースバンド信号変換部で変換されたベースバンド信号に対し、それぞれ第１および第２の重み係数を乗算することで重み付けを行い、該重み付けされたベースバンド信号どうしを加算する第１のアンテナ合成部と、
前記第２および第４のベースバンド信号変換部で変換されたベースバンド信号に対し、それぞれ前記第１および第２の重み係数を乗算することで重み付けを行い、該重み付けされたベースバンド信号どうしを加算する第２のアンテナ合成部と、
前記第１および第２のアンテナ合成部で加算されたベースバンド信号に対し、それぞれ第３および第４の重み係数を乗算することで重み付けを行い、該重み付けされたベースバンド信号どうしを加算して出力する第３のアンテナ合成部と、
前記第１および第２の重み係数として、前記第１および第２のアンテナの指向性パターンにおいて希望信号とは異なる方向でかつ干渉信号が存在する方向にヌルが形成されるような第１および第２の重み係数を、ＭＭＳＥにより計算する第１の信号処理部と、
前記第３および第４の重み係数として、前記第１および第２のアンテナにおいて各アンテナ素子でそれぞれ受信される受信信号の合成偏波が前記希望信号と同一方向に存在する干渉信号の偏波と直交するような第３および第４の重み係数を、ＭＭＳＥにより計算する第２の信号処理部と、を有する。
【０００９】
本発明の第１の基地局は、
移動端末と無線通信を行う基地局であって、
第１の偏波特性を有する第１のアンテナ素子および前記第１の偏波特性と直交する第２の偏波特性を有する第２のアンテナ素子からなる第１のアンテナと、
前記第１の偏波特性を有する第３のアンテナ素子および前記第２の偏波特性を有する第４のアンテナ素子からなる第２のアンテナと、
前記第１〜第４のアンテナ素子で受信された受信信号を、それぞれベースバンド信号に変換する第１〜第４のベースバンド信号変換部と、
前記第１および第２のベースバンド信号変換部で変換されたベースバンド信号に対し、それぞれ第１および第２の重み係数を乗算することで重み付けを行い、該重み付けされたベースバンド信号どうしを加算する第１のアンテナ合成部と、
前記第３および第４のベースバンド信号変換部で変換されたベースバンド信号に対し、それぞれ前記第１および第２の重み係数を乗算することで重み付けを行い、該重み付けされたベースバンド信号どうしを加算する第２のアンテナ合成部と、
前記第１および第２のアンテナ合成部で加算されたベースバンド信号に対し、それぞれ第３および第４の重み係数を乗算することで重み付けを行い、該重み付けされたベースバンド信号どうしを加算して出力する第３のアンテナ合成部と、
前記第１および第２の重み係数として、前記第１および第２のアンテナにおいて各アンテナ素子でそれぞれ受信される受信信号の合成偏波が希望信号と同一方向に存在する干渉信号の偏波と直交するような第１および第２の重み係数を、ＭＭＳＥにより計算する第１の信号処理部と、
前記第３および第４の重み係数として、前記第１および第２のアンテナの指向性パターンにおいて前記希望信号とは異なる方向でかつ干渉信号が存在する方向にヌルが形成されるような第３および第４の重み係数を、ＭＭＳＥにより計算する第２の信号処理部と、を有する。
【００１０】
本発明の第２の基地局は、
移動端末と無線通信を行う基地局であって、
第１の偏波特性を有する第１のアンテナ素子および前記第１の偏波特性と直交する第２の偏波特性を有する第２のアンテナ素子からなる第１のアンテナと、
前記第１の偏波特性を有する第３のアンテナ素子および前記第２の偏波特性を有する第４のアンテナ素子からなる第２のアンテナと、
前記第１〜第４のアンテナ素子で受信された受信信号を、それぞれベースバンド信号に変換する第１〜第４のベースバンド信号変換部と、
前記第１および第３のベースバンド信号変換部で変換されたベースバンド信号に対し、それぞれ第１および第２の重み係数を乗算することで重み付けを行い、該重み付けされたベースバンド信号どうしを加算する第１のアンテナ合成部と、
前記第２および第４のベースバンド信号変換部で変換されたベースバンド信号に対し、それぞれ前記第１および第２の重み係数を乗算することで重み付けを行い、該重み付けされたベースバンド信号どうしを加算する第２のアンテナ合成部と、
前記第１および第２のアンテナ合成部で加算されたベースバンド信号に対し、それぞれ第３および第４の重み係数を乗算することで重み付けを行い、該重み付けされたベースバンド信号どうしを加算して出力する第３のアンテナ合成部と、
前記第１および第２の重み係数として、前記第１および第２のアンテナの指向性パターンにおいて希望信号とは異なる方向でかつ干渉信号が存在する方向にヌルが形成されるような第１および第２の重み係数を、ＭＭＳＥにより計算する第１の信号処理部と、
前記第３および第４の重み係数として、前記第１および第２のアンテナにおいて各アンテナ素子でそれぞれ受信される受信信号の合成偏波が前記希望信号と同一方向に存在する干渉信号の偏波と直交するような第３および第４の重み係数を、ＭＭＳＥにより計算する第２の信号処理部と、を有する。
【００１１】
本発明の第１の干渉除去方法は、
移動端末と無線通信を行う基地局による干渉除去方法であって、
第１のアンテナの第１の偏波特性を有する第１のアンテナ素子および前記第１の偏波特性と直交する第２の偏波特性を有する第２のアンテナ素子で受信された受信信号を、それぞれベースバンド信号に変換する第１および第２の変換ステップと、
第２のアンテナの前記第１の偏波特性を有する第３のアンテナ素子および前記第２の偏波特性を有する第４のアンテナ素子で受信された受信信号を、それぞれベースバンド信号に変換する第３および第４の変換ステップと、
前記第１および第２の変換ステップで変換されたベースバンド信号に対し、それぞれ第１および第２の重み係数を乗算することで重み付けを行い、該重み付けされたベースバンド信号どうしを加算する第１のアンテナ合成ステップと、
前記第３および第４の変換ステップで変換されたベースバンド信号に対し、それぞれ前記第１および第２の重み係数を乗算することで重み付けを行い、該重み付けされたベースバンド信号どうしを加算する第２のアンテナ合成ステップと、
前記第１および第２のアンテナ合成ステップで加算されたベースバンド信号に対し、それぞれ第３および第４の重み係数を乗算することで重み付けを行い、該重み付けされたベースバンド信号どうしを加算して出力する第３のアンテナ合成ステップと、
前記第１および第２の重み係数として、前記第１および第２のアンテナにおいて各アンテナ素子でそれぞれ受信される受信信号の合成偏波が希望信号と同一方向に存在する干渉信号の偏波と直交するような第１および第２の重み係数を、ＭＭＳＥにより計算する第１の計算ステップと、
前記第３および第４の重み係数として、前記第１および第２のアンテナの指向性パターンにおいて前記希望信号とは異なる方向でかつ干渉信号が存在する方向にヌルが形成されるような第３および第４の重み係数を、ＭＭＳＥにより計算する第２の計算ステップと、を有する。
【００１２】
本発明の第２の干渉除去方法は、
移動端末と無線通信を行う基地局による干渉除去方法であって、
第１のアンテナの第１の偏波特性を有する第１のアンテナ素子および前記第１の偏波特性と直交する第２の偏波特性を有する第２のアンテナ素子で受信された受信信号を、それぞれベースバンド信号に変換する第１および第２の変換ステップと、
第２のアンテナの前記第１の偏波特性を有する第３のアンテナ素子および前記第２の偏波特性を有する第４のアンテナ素子で受信された受信信号を、それぞれベースバンド信号に変換する第３および第４の変換ステップと、
前記第１および第３の変換ステップで変換されたベースバンド信号に対し、それぞれ第１および第２の重み係数を乗算することで重み付けを行い、該重み付けされたベースバンド信号どうしを加算する第１のアンテナ合成ステップと、
前記第２および第４の変換ステップで変換されたベースバンド信号に対し、それぞれ前記第１および第２の重み係数を乗算することで重み付けを行い、該重み付けされたベースバンド信号どうしを加算する第２のアンテナ合成ステップと、
前記第１および第２のアンテナ合成ステップで加算されたベースバンド信号に対し、それぞれ第３および第４の重み係数を乗算することで重み付けを行い、該重み付けされたベースバンド信号どうしを加算して出力する第３のアンテナ合成ステップと、
前記第１および第２の重み係数として、前記第１および第２のアンテナの指向性パターンにおいて希望信号とは異なる方向でかつ干渉信号が存在する方向にヌルが形成されるような第１および第２の重み係数を、ＭＭＳＥにより計算する第１の計算ステップと、
前記第３および第４の重み係数として、前記第１および第２のアンテナにおいて各アンテナ素子でそれぞれ受信される受信信号の合成偏波が前記希望信号と同一方向に存在する干渉信号の偏波と直交するような第３および第４の重み係数を、ＭＭＳＥにより計算する第２の計算ステップと、を有する。
【発明の効果】
【００１３】
本発明によれば、基地局は、ＭＭＳＥにより、第１および第２のアンテナにおける各アンテナ素子の受信信号の合成偏波を、希望信号と同一方向に存在する干渉信号の偏波と直交させ、さらに、希望信号とは異なる方向で干渉信号が存在する方向にヌルが形成されるように第１および第２のアンテナの指向性を制御している。
【００１４】
そのため、基地局は、希望信号と同一方向に存在する干渉信号については、合成偏波と直交させて受信できないようにすることで除去することができ、同時に、希望信号とは異なる方向に存在する干渉信号については、その方向にヌルを形成することで除去することができるという効果が得られる。
【発明を実施するための最良の形態】
【００１５】
以下に、本発明を実施するための最良の形態について図面を参照して説明する。
【００１６】
（第１の実施形態）
図１は、本実施形態の移動通信システムの全体構成を示す図である。
【００１７】
図１に示すように、本実施形態の移動通信システムは、基地局（ＢＳ：Base Station）１０と、ｎ（ｎは２以上の自然数）個の移動端末（ＭＳ：Mobile Station）２０−１〜２０−ｎと、を有している。
【００１８】
基地局１０は、直交偏波アンテナであるアンテナ１１−１，１１−２を備える。
【００１９】
ここで、アンテナ１１−１は、垂直偏波特性を有する第１のアンテナ素子であるアンテナ素子１１−１ｘと、水平偏波特性を有する第２のアンテナ素子であるアンテナ素子１１−１ｙとを、移動端末２０−１〜２０−ｎごとにそれぞれｎ個設けた構成である。
【００２０】
また、アンテナ１１−２は、垂直偏波特性を有する第３のアンテナ素子であるアンテナ素子１１−２ｘと、水平偏波特性を有する第４のアンテナ素子であるアンテナ素子１１−２ｙとを、同様にそれぞれｎ個設けた構成である。
【００２１】
移動端末２０−１〜２０−ｎのそれぞれは、垂直偏波特性を有する１つのアンテナ素子からなるアンテナ２１を備える。
【００２２】
移動通信は、基本的に、直接波が伝搬されない見通し外通信であり、伝搬路の途中のビル等の障害物で反射し、回転させられた偏波が伝搬される。
【００２３】
そのため、例えば、移動端末２０−１，２０−２から送信された偏波は、送信時点では共に垂直偏波であるが、基地局１０に受信された時点では異なる偏波に変換される。
【００２４】
なお、図１においては、例えば、基地局１０が移動端末２０−１と無線通信を行う場合、移動端末２０−１からの受信信号が希望信号となり、これに対して、希望信号と異なる方向に存在する移動端末２０−３からの受信信号や、希望信号と同一方向に存在する移動端末２０−２からの受信信号が干渉信号となる。
【００２５】
図２は、本実施形態の基地局１０の構成を示すブロック図である。
【００２６】
図２に示すように、本実施形態の基地局１０は、移動端末２０−１〜２０−ｎごとにそれぞれｎ個設けられたアンテナ素子１１−１ｘ，１１−１ｙからなるアンテナ１１−１と、移動端末２０−１〜２０−ｎごとにそれぞれｎ個設けられたアンテナ素子１１−２ｘ，１１−２ｙからなるアンテナ１１−２と、低雑音増幅器（ＬＮＡ：Low Noise Amplifier）１２−１ｘ，１２−１ｙ，１２−２ｘ，１２−２ｙと、ダウンコンバータ（Down Converter）１３−１ｘ，１３−１ｙ，１３−２ｘ，１３−２ｙと、Ａ／Ｄ変換器（ＡＤＣ：Analog Digital Converter）１４−１ｘ，１４−１ｙ，１４−２ｘ，１４−２ｙと、移動端末２０−１〜２０−ｎごとにｎ個設けられたベースバンド処理部１５と、を有している。
【００２７】
なお、アンテナ素子１１−１ｘ，１１−１ｙ，１１−２ｘ，１１−２ｙおよびベースバンド処理部１５は、それぞれ対応する移動端末２０−１〜２０−ｎのアンテナ２１の偏波とは無関係に動作を行う。
【００２８】
また、ベースバンド処理部１５は、ＭＭＳＥ（Minimum Mean Square Error：最小平均自乗誤差）信号処理部１０１，１０４と、乗算器１０２−１ｘ，１０２−１ｙ，１０２−２ｘ，１０２−２ｙ，１０５−１，１０５−２と、加算器１０３−１，１０３−２，１０６と、を有している。
【００２９】
低雑音増幅器１２−１ｘ、ダウンコンバータ１３−１ｘ、およびＡ／Ｄ変換器１４−１ｘは、アンテナ素子１１−１ｘで受信された受信信号を、ベースバンド信号に変換する第１のベースバンド信号変換部を構成している。
【００３０】
具体的には、第１のベースバンド信号変換部においては、低雑音増幅器１２−１ｘは、アンテナ素子１１−１ｘで受信された受信信号を増幅し、ダウンコンバータ１３−１ｘは、低雑音増幅器１２−１ｘから出力された受信信号をベースバンドにダウンコンバートし、Ａ／Ｄ変換器１４−１ｘは、ダウンコンバータ１３−１ｘから出力された信号をＡ／Ｄ変換することでベースバンド信号を生成し出力する。
【００３１】
低雑音増幅器１２−１ｙ、ダウンコンバータ１３−１ｙ、およびＡ／Ｄ変換器１４−１ｙは、アンテナ素子１１−１ｙで受信された受信信号を、ベースバンド信号に変換する第２のベースバンド信号変換部を構成している。
【００３２】
低雑音増幅器１２−２ｘ、ダウンコンバータ１３−２ｘ、およびＡ／Ｄ変換器１４−２ｘは、アンテナ素子１１−２ｘで受信された受信信号を、ベースバンド信号に変換する第３のベースバンド信号変換部を構成している。
【００３３】
低雑音増幅器１２−２ｙ、ダウンコンバータ１３−２ｙ、およびＡ／Ｄ変換器１４−２ｙは、アンテナ素子１１−２ｙで受信された受信信号を、ベースバンド信号に変換する第４のベースバンド信号変換部を構成している。
【００３４】
なお、第２、第３、および第４のベースバンド信号変換部の動作は、第１のベースバンド信号変換部の動作と略同様であるため、説明を省略する。
【００３５】
乗算器１０２−１ｘ，１０２−１ｙおよび加算器１０３−１は、第１のアンテナ合成部を構成している。
【００３６】
具体的には、第１のアンテナ合成部においては、乗算器１０２−１ｘは、Ａ／Ｄ変換器１４−１ｘから出力されたベースバンド信号に対し、ＭＭＳＥ信号処理部１０１にて計算された重み係数Ｗｘを乗算することで重み付けを行う。また、乗算器１０２−１ｙは、Ａ／Ｄ変換器１４−１ｙから出力されたベースバンド信号に対し、ＭＭＳＥ信号処理部１０１にて計算された重み係数Ｗｙを乗算することで重み付けを行う。また、加算器１０３−１は、乗算器１０２−１ｘ，１０２−１ｙからそれぞれ出力された、重み付けされたベースバンド信号どうしを加算して出力する。
【００３７】
乗算器１０２−２ｘ，１０２−２ｙおよび加算器１０３−２は、第２のアンテナ合成部を構成している。
【００３８】
具体的には、第２のアンテナ合成部においては、乗算器１０２−２ｘは、Ａ／Ｄ変換器１４−２ｘから出力されたベースバンド信号に対し、ＭＭＳＥ信号処理部１０１にて計算された重み係数Ｗｘを乗算することで重み付けを行う。また、乗算器１０２−２ｙは、Ａ／Ｄ変換器１４−２ｙから出力されたベースバンド信号に対し、ＭＭＳＥ信号処理部１０１にて計算された重み係数Ｗｙを乗算することで重み付けを行う。また、加算器１０３−２は、乗算器１０２−２ｘ，１０２−２ｙからそれぞれ出力された、重み付けされたベースバンド信号どうしを加算して出力する。
【００３９】
ＭＭＳＥ信号処理部１０１は、アンテナ素子１１−１ｘ，１１−１ｙでパイロット信号が受信されたときのＡ／Ｄ変換器１４−１ｘ，１４−１ｙの出力信号をリファレンスとしてＭＭＳＥによる信号処理を行う第１の信号処理部である。このＭＭＳＥによる信号処理により、ＭＭＳＥ信号処理部１０１は、重み係数Ｗｘ，Ｗｙを計算し、重み係数Ｗｘを乗算器１０２−１ｘ，１０２−２ｘに、重み係数Ｗｙを乗算器１０２−１ｙ，１０２−２ｙにそれぞれ出力する。
【００４０】
具体的には、ＭＭＳＥ信号処理部１０１は、ＭＭＳＥによる信号処理により、アンテナ１１−１，１１−２において各アンテナ素子でそれぞれ受信される受信信号の合成偏波が、希望信号と同一方向に存在する干渉信号の偏波と直交し、かつ、加算器１０３−１，１０３−２から出力される信号の信号レベルが最大となるような重み係数Ｗｘ，Ｗｙを計算する。
【００４１】
乗算器１０５−１，１０５−２および加算器１０６は、第３のアンテナ合成部を構成している。
【００４２】
具体的には、第３のアンテナ合成部においては、乗算器１０５−１は、加算器１０３−１から出力されたベースバンド信号に対し、ＭＭＳＥ信号処理部１０４にて計算された重み係数Ｗ１を乗算することで重み付けを行う。また、乗算器１０５−２は、加算器１０３−２から出力されたベースバンド信号に対し、ＭＭＳＥ信号処理部１０４にて計算された重み係数Ｗ２を乗算することで重み付けを行う。また、加算器１０６は、乗算器１０５−１，１０５−２からそれぞれ出力された、重み付けされたベースバンド信号どうしを加算して出力する。
【００４３】
ＭＭＳＥ信号処理部１０４は、アンテナ素子１１−１ｘ，１１−１ｙでパイロット信号が受信されたときの加算器１０３−１，１０３−２の出力信号をリファレンスとしてＭＭＳＥによる信号処理を行う第２の信号処理部である。このＭＭＳＥによる信号処理により、ＭＭＳＥ信号処理部１０４は、重み係数Ｗ１，Ｗ２を計算し、重み係数Ｗ１を乗算器１０５−１に、重み係数Ｗ２を乗算器１０５−２にそれぞれ出力する。
【００４４】
具体的には、ＭＭＳＥ信号処理部１０４は、ＭＭＳＥによる信号処理により、アンテナ１１−１，１１−２の指向性パターンにおいて希望信号とは異なる方向でかつ干渉信号が存在する方向にヌルが形成されるような重み係数Ｗ１，Ｗ２を計算する。
【００４５】
なお、ＭＭＳＥ信号処理部１０１，１０４にて行われるＭＭＳＥによる信号処理は、既知の手法を利用でき、その手法に限定はないため、説明を省略する。
【００４６】
以下、基地局１０による干渉除去方法について、図３を参照して説明する。
【００４７】
図３は、基地局１０において、干渉除去のために行われるアンテナ合成動作を説明するベクトル図である。なお、図３において、左側は、本発明の基地局１０によるアンテナ合成動作を示し、右側は、関連技術のアンテナ合成動作を比較のために示している。
【００４８】
図３に示すように、関連技術においては、希望信号に合わせて、希望信号の信号レベルが最大になるように、各アンテナ素子の受信信号を同相合成する最大比合成（ＭＲＣ：Maximum Ratio Combining）を行っていた。
【００４９】
すなわち、関連技術においては、ＳＮＲ（Signal to Noise ratio）を最大化する処理を行っており、それにより、干渉信号を除去していた。
【００５０】
しかし、干渉信号が希望信号と同一方向に存在する場合、干渉信号も受信してしまうため、受信品質が劣化してしまう。
【００５１】
これに対して、本発明においては、基地局１０は、まず、アンテナ１１−１，１１−２において各アンテナ素子の受信信号の合成偏波が、希望信号と同一方向に存在する干渉信号の偏波と直交するように、アンテナ１１−１，１１−２における各アンテナ素子の受信信号を合成するアンテナ合成を行う。
【００５２】
したがって、各アンテナ素子の受信信号の合成偏波と直交するような干渉信号は受信できないため、希望信号と同一方向に存在する干渉信号を除去することができる。
【００５３】
ただし、この場合、受信品質の劣化が懸念されるため、基地局１０は、アンテナ１１−１，１１−２における各アンテナ素子の受信信号の合成偏波が、希望信号と同一方向に存在する干渉信号の偏波と直交し、かつ、加算器１０３−１，１０３−２から出力される信号のＳＩＮＲ（Signal to Interference and Noise power Ratio：信号対干渉および雑音比）が最大となるように、アンテナ合成を行う。
【００５４】
すなわち、本発明においては、基地局１０は、最初のアンテナ合成において、ＳＩＮＲを最大化する処理を行っており、それにより、干渉信号を除去しつつ、受信品質の向上を図っている。
【００５５】
さらに、本発明においては、基地局１０は、最初のアンテナ合成に続いて、アンテナ１１−１，１１−２の指向性パターンにおいて希望信号とは異なる方向でかつ干渉信号が存在する方向にヌルが形成されるように、各アンテナ１１−１，１１−２の受信信号を合成するアンテナ合成を行う（図３には図示せず）。
【００５６】
したがって、希望信号とは異なる方向でかつ干渉信号が存在する方向では、ヌルが形成されることで受信感度が低下するため、希望信号とは異なる方向に存在する干渉信号を除去することができる。
【００５７】
上述したように本実施形態においては、基地局１０は、ＭＭＳＥにより、まず、アンテナ１１−１，１１−２における各アンテナ素子の受信信号の合成偏波を、希望信号と同一方向に存在する干渉信号の偏波と直交させるアンテナ合成を行い、続いて、希望信号とは異なる方向で干渉信号が存在する方向にヌルが形成されるようにアンテナ１１−１，１１−２の指向性を制御するアンテナ合成を行う。
【００５８】
そのため、基地局１０は、希望信号と同一方向に存在する干渉信号については、合成偏波と直交させて受信できないようにすることで除去することができ、同時に、希望信号とは異なる方向に存在する干渉信号については、その方向にヌルを形成することで除去することができる。
【００５９】
また、基地局１０は、ＭＭＳＥにより、アンテナ１１−１，１１−２における各アンテナ素子の受信信号の合成偏波を、希望信号と同一方向に存在する干渉信号の偏波と直交させるだけでなく、さらに、加算器１０３−１，１０３−２から出力される信号のＳＩＮＲを最大とする構成とした場合には、希望信号と同一方向に存在する干渉信号を除去しつつ、受信品質の向上を図ることができる。
【００６０】
（第２の実施形態）
上述した第１の実施形態の基地局１０は、最初のアンテナ合成において、希望信号と同一方向に存在する干渉信号を偏波によって除去し、続くアンテナ合成において、希望信号とは異なる方向に存在する干渉信号を指向性によって除去していた。
【００６１】
これとは逆に、本実施形態の基地局１０は、最初のアンテナ合成において、希望信号とは異なる方向に存在する干渉信号を指向性によって除去し、続くアンテナ合成において、希望信号と同一方向に存在する干渉信号を偏波によって除去する。
【００６２】
図４は、本発明の第２の実施形態の基地局１０の構成を示すブロック図である。
【００６３】
図４に示すように、本実施形態の基地局１０は、図２に示した第１の実施形態と比較して、ベースバンド処理部１５の構成のみが異なっている。そのため、以下では、ベースバンド処理部１５の構成についてのみ説明する。
【００６４】
本実施形態のベースバンド処理部１５は、ＭＭＳＥ信号処理部１１１，１１４と、乗算器１１２−１ｘ，１１２−１ｙ，１１２−２ｘ，１１２−２ｙ，１１５−ｘ，１１５−ｙと、加算器１１３−ｘ，１１３−ｙ，１１６と、を有している。
【００６５】
乗算器１１２−１ｘ，１１２−２ｘおよび加算器１１３−ｘは、第１のアンテナ合成部を構成している。
【００６６】
具体的には、第１のアンテナ合成部においては、乗算器１１２−１ｘは、Ａ／Ｄ変換器１４−１ｘから出力されたベースバンド信号に対し、ＭＭＳＥ信号処理部１１１にて計算された重み係数Ｗ１を乗算することで重み付けを行う。また、乗算器１１２−２ｘは、Ａ／Ｄ変換器１４−２ｘから出力されたベースバンド信号に対し、ＭＭＳＥ信号処理部１１１にて計算された重み係数Ｗ２を乗算することで重み付けを行う。また、加算器１１３−ｘは、乗算器１１２−１ｘ，１１２−２ｘからそれぞれ出力された、重み付けされたベースバンド信号どうしを加算して出力する。
【００６７】
乗算器１１２−１ｙ，１１２−２ｙおよび加算器１１３−ｙは、第２のアンテナ合成部を構成している。
【００６８】
具体的には、第２のアンテナ合成部においては、乗算器１１２−１ｙは、Ａ／Ｄ変換器１４−１ｙから出力されたベースバンド信号に対し、ＭＭＳＥ信号処理部１１１にて計算された重み係数Ｗ１を乗算することで重み付けを行う。また、乗算器１１２−２ｙは、Ａ／Ｄ変換器１４−２ｙから出力されたベースバンド信号に対し、ＭＭＳＥ信号処理部１１１にて計算された重み係数Ｗ２を乗算することで重み付けを行う。また、加算器１１３−ｙは、乗算器１１２−１ｙ，１１２−２ｙからそれぞれ出力された、重み付けされたベースバンド信号どうしを加算して出力する。
【００６９】
ＭＭＳＥ信号処理部１１１は、アンテナ素子１１−１ｘ，１１−１ｙでパイロット信号が受信されたときのＡ／Ｄ変換器１４−１ｘ，１４−１ｙの出力信号をリファレンスとしてＭＭＳＥによる信号処理を行う第１の信号処理部である。このＭＭＳＥによる信号処理により、ＭＭＳＥ信号処理部１１１は、重み係数Ｗ１，Ｗ２を計算し、重み係数Ｗ１を乗算器１１２−１ｘ，１１２−１ｙに、重み係数Ｗ２を乗算器１１２−２ｘ，１１２−２ｙにそれぞれ出力する。
【００７０】
具体的には、ＭＭＳＥ信号処理部１１１は、ＭＭＳＥによる信号処理により、アンテナ１１−１，１１−２の指向性パターンにおいて希望信号とは異なる方向でかつ干渉信号が存在する方向にヌルが形成されるような重み係数Ｗ１，Ｗ２を計算する。
【００７１】
乗算器１１５−ｘ，１１５−ｙおよび加算器１１６は、第３のアンテナ合成部を構成している。
【００７２】
具体的には、第３のアンテナ合成部においては、乗算器１１５−ｘは、加算器１１３−ｘから出力されたベースバンド信号に対し、ＭＭＳＥ信号処理部１１４にて計算された重み係数Ｗｘを乗算することで重み付けを行う。また、乗算器１１５−ｙは、加算器１１３−ｙから出力されたベースバンド信号に対し、ＭＭＳＥ信号処理部１１４にて計算された重み係数Ｗｙを乗算することで重み付けを行う。また、加算器１１６は、乗算器１１５−ｘ，１１５−ｙからそれぞれ出力された、重み付けされたベースバンド信号どうしを加算して出力する。
【００７３】
ＭＭＳＥ信号処理部１１４は、アンテナ素子１１−１ｘ，１１−１ｙでパイロット信号が受信されたときの加算器１１３−ｘ，１１３−ｙの出力信号をリファレンスとしてＭＭＳＥによる信号処理を行う第２の信号処理部である。このＭＭＳＥによる信号処理により、ＭＭＳＥ信号処理部１１４は、重み係数Ｗｘ，Ｗｙを計算し、重み係数Ｗｘを乗算器１１５−ｘに、重み係数Ｗｙを乗算器１１５−ｙにそれぞれ出力する。
【００７４】
具体的には、ＭＭＳＥ信号処理部１１４は、ＭＭＳＥによる信号処理により、アンテナ１１−１，１１−２において各アンテナ素子でそれぞれ受信される受信信号の合成偏波が、希望信号と同一方向に存在する干渉信号の偏波と直交し、かつ、加算器１１６から出力される信号の信号レベルが最大となるような重み係数Ｗｘ，Ｗｙを計算する。
【００７５】
なお、ＭＭＳＥ信号処理部１１１，１１４にて行われるＭＭＳＥによる信号処理は、既知の手法を利用でき、その手法に限定はないため、説明を省略する。
【００７６】
上述したように本実施形態においては、基地局１０は、ＭＭＳＥにより、まず、希望信号とは異なる方向で干渉信号が存在する方向にヌルが形成されるようにアンテナ１１−１，１１−２の指向性を制御するアンテナ合成を行い、続いて、アンテナ１１−１，１１−２における各アンテナ素子の受信信号の合成偏波を、希望信号と同一方向に存在する干渉信号の偏波と直交させるアンテナ合成を行う。
【００７７】
このように、本実施形態は、第１の実施形態と比較して、単にアンテナ合成の順序を変更したものであるため、第１の実施形態と同様の効果が得られる。
【００７８】
なお、上述した第１および第２の実施形態においては、説明を簡単にするために、直交偏波アンテナが２つの場合を例に挙げて説明したが、本発明はこれに限らず、直交偏波アンテナが３つ以上の場合にも適用することができる。
【図面の簡単な説明】
【００７９】
【図１】本発明の第１および第２の実施形態の移動通信システムの構成を示す図である。
【図２】本発明の第１の実施形態の基地局の構成を示すブロック図である。
【図３】図２に示した基地局によるアンテナ合成動作を説明する図である。
【図４】本発明の第２の実施形態の基地局の構成を示すブロック図である。
【符号の説明】
【００８０】
１０    基地局
１１−１，１１−２    アンテナ
１１−１ｘ，１１−１ｙ，１１−２ｘ，１１−２ｙ    アンテナ素子
１２−１ｘ，１２−１ｙ，１２−２ｘ，１２−２ｙ    低雑音増幅器
１３−１ｘ，１３−１ｙ，１３−２ｘ，１３−２ｙ    ダウンコンバータ
１４−１ｘ，１４−１ｙ，１４−２ｘ，１４−２ｙ    Ａ／Ｄ変換器
１５    ベースバンド処理部
１０１，１０４    ＭＭＳＥ信号処理部
１０２−１ｘ，１０２−１ｙ，１０２−２ｘ，１０２−２ｙ，１０５−１，１０５−２    乗算器
１０３−１，１０３−２，１０６    加算器
１１１，１１４    ＭＭＳＥ信号処理部
１１２−１ｘ，１１２−１ｙ，１１２−２ｘ，１１２−２ｙ，１１５−ｘ，１１５−ｙ    乗算器
１１３−ｘ，１１３−ｙ，１１６    加算器
２０−１〜２０−ｎ    移動端末
２１    アンテナ
【図１】
2010068305.tif 000003
【図２】
2010068305.tif 000004
【図３】
2010068305.tif 000005
【図４】
2010068305.tif 000006